(57)【要約】【課題】  構造的に転倒が防止されて作業負荷を軽減するとともに、ギャラリーの床構造を限定せず、架設板と吊り材との干渉を避けることが可能な移動式渡り橋を提供する。【解決手段】  舞台の袖に奥行き方向に延びるギャラリーＧを移動するとともに、ギャラリーＧから、このギャラリーＧの手摺ｇ１を乗り越えて、舞台の間口方向に延びる照明ブリッジＢに移動するための移動式渡り橋Ａにおいて、ギャラリーＧを支える吊り材Ｐと手摺ｇ１との間に配置されるとともに、ギャラリーＧに沿って配置され水平方向に延びる一以上のレールＲ１，Ｒ２を走行する一以上の走行手段１Ａ，１Ｂと、これら走行手段１Ａ，１Ｂに取り付けられる支持部材２と、この支持部材２に支えられる床板３と、この床板３に連結されて照明ブリッジＢ側に延びる架設板４と、床板３に連結されてギャラリーＧから床板３に上がるための階段５とを備える。【選択図】  図１
2015073581.tif 000002
【特許請求の範囲】
【請求項１】
舞台の袖に奥行き方向に延びるギャラリーを移動するとともに、上記ギャラリーから、このギャラリーの手摺を乗り越えて、上記舞台の間口方向に延びる照明ブリッジに移動するための移動式渡り橋において、
上記ギャラリーを支える吊り材と上記手摺との間に配置されるとともに、上記ギャラリーに沿って配置され水平方向に延びる一以上のレールを走行する一以上の走行手段と、これら走行手段に取り付けられる支持部材と、この支持部材に支えられる床板と、この床板に連結されて上記照明ブリッジ側に延びる架設板と、上記床板に連結されて上記ギャラリーから上記床板に上がるための階段とを備えることを特徴とする移動式渡り橋。
【請求項２】
上記レールは、上記吊り材に固定されるとともに上下に二本並べて設けられており、
上側の上記レールを走行する上記走行手段が水平方向に沿う軸回りに回転する車輪を備え、下側の上記レールを走行する上記走行手段が鉛直方向に沿う軸回りに回転する車輪を備えていることを特徴とする請求項１に記載の移動式渡り橋。
【発明の詳細な説明】
【技術分野】
【０００１】
本発明は、移動式渡り橋に関する。
【背景技術】
【０００２】
演劇やコンサートに利用される多目的ホールや、テレビ局のスタジオの中には、例えば、特許文献１，２に開示のように、出演者を照らしたり、地明かりをつくったりするための照明器具を、舞台の間口方向に延びる照明ブリッジに取り付け、この照明ブリッジをバトンで吊っているものがある。この照明ブリッジには、作業者が乗込んで照明器具の角度調節をできる作業スペースが設けられている。
【０００３】
また、舞台の袖の上部には、ギャラリーと称されて、舞台の奥行き方向に延びる作業者通行用の廊下が吊り材で吊り下げられており、作業者は、照明器具の角度調節の際、このギャラリーから照明ブリッジに移動して作業する。ギャラリーには、このギャラリーを通行する作業者の安全に配慮して、手摺が設けられている。そこで、照明ブリッジの吊り下げ位置が固定されている場合には、ギャラリーと照明ブリッジとを行き来する乗り込み位置が変わらないので、この部分にあたる手摺の一部を開閉式にし、ギャラリーと照明ブリッジとの行き来を可能にすることが一般的である。
【０００４】
しかし、照明ブリッジを異なるバトンに吊り替えて、照明ブリッジの吊り下げ位置を演目等に合わせて変更する場合には、照明ブリッジの吊り下げ位置に応じて乗込み位置が変わるので、手摺の開閉部を変える必要があるものの、このようにすることは困難である。そこで、照明ブリッジの吊り替えがある多目的ホールでは、作業者がギャラリーの手摺を乗り越えて照明ブリッジに移動するための渡り橋を移動式にした移動式渡り橋が利用されている。
【先行技術文献】
【特許文献】
【０００５】
【特許文献１】特開平９−２６５８０４号公報
【特許文献２】特開２００８−１４６８６４号公報
【発明の概要】
【発明が解決しようとする課題】
【０００６】
従来の移動式渡り橋は、例えば、図５に示すように、ギャラリーを走行する台車８と、この台車８に起立する複数の支柱２８と、これらの支柱２８で支えられる床板３と、この床板３に連結される架設板９と、ギャラリーから床板３に上がるための階段５とを備えており、架設板９がギャラリーの手摺ｇ１を越えて照明ブリッジ側に延びるようになっている。この架設板９は、台車８の車輪８０からはみ出した、つまり、オーバーハングした位置に設けられているので、移動式渡り橋を固定せずに作業者が架設板９に乗ると、転倒の危険がある。
【０００７】
このため、図５に示す移動式渡り橋では、ギャラリーの床ｇ２をグレーチングにして、当該グレーチングに台車８に取り付けた金具８１を引っ掛けて車輪８０の浮き上がりを防止するとともに、支柱２８に取り付けた上下二対の挟持片２９ａ，２９ｂでギャラリーの手摺ｇ１を挟み、対となる挟持片２９ａ，２９ｂの一方から他方にかけてストッパ２９ｃを挿通して支柱２８が手摺ｇ１から離れることを防止して、移動式渡り橋の転倒を防いでいる。
【０００８】
しかしながら、上記移動式渡り橋では、当該移動式渡り橋の転倒を防ぐための固定作業が必須となり、作業負荷が大きい。また、この移動式渡り橋の転倒防止は、作業者の固定作業によって実現されるが、作業者に頼らず、移動式渡り橋を転倒しない構造にすることが望まれる。また、上記移動式渡り橋では、ギャラリーの床ｇ２をグレーチング等、金具８１を引っ掛けられる構成にしなければならず、ギャラリーの床構造が限定される。さらに、上記移動式渡り橋では、ギャラリーを支える吊り材よりも内側を移動するようになっているので、照明ブリッジの位置によっては、吊り材が邪魔になって架設板を照明ブリッジに延ばせない場合がある。
【０００９】
そこで、本発明の目的は、構造的に転倒が防止されて作業負荷を軽減するとともに、ギャラリーの床構造を限定せず、架設板と吊り材との干渉を避けることが可能な移動式渡り橋を提供することである。
【課題を解決するための手段】
【００１０】
上記課題を解決するための手段は、舞台の袖に奥行き方向に延びるギャラリーを移動するとともに、上記ギャラリーから、このギャラリーの手摺を乗り越えて、上記舞台の間口方向に延びる照明ブリッジに移動するための移動式渡り橋において、上記ギャラリーを支える吊り材と上記手摺との間に配置されるとともに、上記ギャラリーに沿って配置され水平方向に延びる一以上のレールを走行する一以上の走行手段と、これら走行手段に取り付けられる支持部材と、この支持部材に支えられる床板と、この床板に連結されて上記照明ブリッジ側に延びる架設板と、上記床板に連結されて上記ギャラリーから上記床板に上がるための階段とを備えることである。
【発明の効果】
【００１１】
本発明の移動式渡り橋によれば、構造的に転倒が防止されて作業負荷を軽減するとともに、ギャラリーの床構造を限定せず、架設板と吊り材との干渉を避けることが可能となる。
【図面の簡単な説明】
【００１２】
【図１】本発明の一実施の形態に係る移動式渡り橋の使用状態を示した正面図である。
【図２】本発明の一実施の形態に係る移動式渡り橋の使用状態を示した側面図である。
【図３】図１における上側のレールを走行する走行手段部分を拡大して示した図である。
【図４】図１における下側のレールを走行する走行手段部分を拡大して示した図である。
【図５】（ａ）は、従来の移動式渡り橋の照明ブリッジ側半分を照明ブリッジ側から見た図である。（ｂ）は、従来の移動式渡り橋のギャラリー側半分をギャラリー側から見た図である。
【発明を実施するための形態】
【００１３】
以下に本発明の一実施の形態に係る移動式渡り橋について、図面を参照しながら説明する。いくつかの図面を通して付された同じ符号は、同じ部品か対応する部品を示す。
【００１４】
図１，２に示すように、本実施の形態に係る移動式渡り橋Ａは、舞台の袖に奥行き方向に延びるギャラリーＧを移動するとともに、上記ギャラリーＧから、このギャラリーＧの手摺ｇ１を乗り越えて、上記舞台の間口方向に延びる照明ブリッジＢに移動するためのものである。そして、移動式渡り橋Ａは、上記ギャラリーＧを支える吊り材Ｐと上記手摺ｇ１との間に配置されるとともに、上記ギャラリーＧに沿って配置され水平方向に延びる一以上のレールＲ１，Ｒ２を走行する一以上の走行手段１Ａ，１Ｂと、これら走行手段１Ａ，１Ｂに取り付けられる支持部材２と、この支持部材２に支えられる床板３と、この床板３に連結されて上記照明ブリッジＢ側に延びる架設板４と、上記床板３に連結されて上記ギャラリーＧから上記床板３に上がるための階段５とを備えている。
【００１５】
また、移動式渡り橋Ａは、本実施の形態において、演劇や、コンサートが催される多目的ホールに利用されている。この多目的ホールの構成は、周知であるので詳細に図示しないが、客席と、出演者が演目を披露する舞台とを備えている。客席から見える舞台の左右方向（図１中左右方向）の幅が舞台の間口であり、客席から見た奥行き（図２中左右）が舞台の奥行きであり、客席から見えない舞台の上手若しくは下手にあるスペースが舞台の袖である。なお、本発明に係る移動式渡り橋Ａは、多目的ホール以外に利用されるとしてもよく、例えば、テレビ局のスタジオ等に利用されるとしてもよい。
【００１６】
舞台の上側に配置される構造体には、舞台の間口方向に延びるとともに、奥行き方向に複数並んで配置されるバトン６がワイヤロープＷで略水平に吊り下げられている。バトン６は、それぞれ、上下させることができ、照明器具Ｌや、幕、書割等を保持している。また、上記構造体には、鉛直方向に延びる吊り材Ｐが、舞台の袖に奥行き方向に複数並んで吊り下げられており、この吊り材ＰでギャラリーＧを支えている。つまり、当該ギャラリーＧは、舞台の袖に奥行き方向に延びており、作業者が通行するための廊下として利用される。
【００１７】
また、一般的に、ギャラリーＧは、舞台の床面から９〜１０ｍの高所に設けられており、ギャラリーＧには、作業者の安全に配慮して、転落防止用の柵状の手摺ｇ１が長手方向に沿って設けられている。そして、吊り材Ｐは、ギャラリーＧの手摺ｇ１よりも内側に延びて、ギャラリーＧの床ｇ２を吊っており、ギャラリーＧにおける吊り材Ｐと手摺ｇ１との間を移動式渡り橋Ａが移動できるようになっている。
【００１８】
本実施の形態において、二本のバトン６（一方のバトン６のみを図示し、他方のバトン６を図示せず）を利用して照明ブリッジＢが吊り下げられており、当該照明ブリッジＢには、複数の照明器具Ｌが取り付けられている。照明ブリッジＢは、バトン６に沿って延びる、すなわち、舞台の間口方向に延びる床板ｂ１と、この床板ｂ１の長手に沿って両側に起立する柵状の手摺ｂ２とを備えている。そして、作業者は、床板ｂ１上を通行するとともに、この床板ｂ１上で照明器具Ｌの角度調節をすることができる。また、本実施の形態の照明ブリッジＢは、図示しない異なるバトン６に付け替えることができ、これにより、照明ブリッジＢの位置を舞台の手前や奥方向に移動することができる。
【００１９】
以下、ギャラリーＧの手摺ｇ１と吊り材Ｐとの間に配置され、作業者がギャラリーＧから照明ブリッジＢに乗り込むための移動式渡り橋Ａの各構成について、詳細に説明する。移動式渡り橋Ａは、ギャラリーＧに沿って配置される上下二本のレールＲ１，Ｒ２を走行する二つの走行手段１Ａ，１Ｂと、これらの走行手段１Ａ，１Ｂが取り付けられる支持部材２と、この支持部材２に連結される床板３と、この床板３の照明ブリッジＢ側に搖動可能に連結される架設板４と、床板３の進行方向の両側に連結される階段５，５とを備えて宙吊りとなっている。また、図示しないが、本実施の形態に係る移動式渡り橋Ａは、移動式渡り橋Ａの移動を規制するストッパを備えており、移動式渡り橋Ａを任意の位置で停車させることができるようになっている。
【００２０】
二本のレールＲ１，Ｒ２は、共に、吊り材Ｐの手摺ｇ１側に固定されている。上側のレールＲ１は、本実施の形態において、図３に示すように、Ｈ鋼（Ｈ形鋼）からなり、水平方向に延びる中央片ｒ１０と、この中央片ｒ１０の図３中左右両端から上下に延びる左右一対のフランジｒ１１，ｒ１２とを備えて断面Ｈ形となっている。そして、図３中左側のフランジｒ１１が吊り材Ｐに固定されている。
【００２１】
また、この上側のレールＲ１を走行する走行手段１Ａは、レールＲ１の図３中右側に配置され進行方向に延びる台座１０と、この台座１０の進行方向の両端部からレールＲ１に向けて水平方向に延びる一対の横軸１１（図３中、一方の横軸１１のみを図示し、他方の横軸１１を図示せず）と、これら横軸１１に回転自在に保持されて中央片ｒ１０の上面に当接する一対の車輪１２（図３中、一方の車輪１２のみを図示し、他方の車輪１２を図示せず）とを備えている。そして、台座１０が支持部材２に連結されている。また、移動式渡り橋Ａの走行時において、車輪１２は、フランジｒ１１，ｒ１２で脱輪を阻止されながら、水平方向に沿う軸（横軸１１）回りに縦回転する。
【００２２】
他方、下側のレールＲ２は、本実施の形態において、図４に示すように、シーチャンネル（溝形鋼）からなり、水平方向に延びる中央片ｒ２０と、この中央片ｒ２０の図４中左右両端から下側に延びる一対のフランジ片ｒ２１，ｒ２２とを備えて断面コ字状となっている。そして、中央片ｒ２０がブラケットｐ１を介して吊り材Ｐに固定されるとともに、図４中左側のフランジ片ｒ２１が吊り材Ｐに固定されている。
【００２３】
また、この下側のレールＲ２を走行する走行手段１Ｂは、レールＲ２の下側に配置され進行方向に延びる台座１３と、この台座１３の進行方向の両端部から上側に鉛直方向に延びる一対の縦軸１４（図４中、一方の縦軸１４のみを図示し、他方の縦軸１４を図示せず）と、これら縦軸１４に回転自在に保持されて図４中左側のフランジ片ｒ２１に当接する一対の車輪１５（図４中、一方の車輪１５のみを図示し、他方の車輪１５を図示せず）とを備えている。そして、台座１３は、連結片１６を介して支持部材２に連結されている。また、移動式渡り橋Ａの走行時において、車輪１５は、フランジ片ｒ２１，ｒ２２で脱輪を阻止されながら、鉛直方向に沿う軸（縦軸１４）回りに横回転する。
【００２４】
もどって、上記両走行手段１Ａ，１Ｂが取り付けられる支持部材２は、図１，２に示すように、吊り材Ｐ側に配置される一方側支持体２０と、手摺ｇ１側に配置される他方側支持体２１と、一方側支持体２０と他方側支持体２１との間に架設される複数の横材２２と、一方側支持体２０と他方側支持体２１の間に固定される床板３を下支えする斜材２３と、作業者が床板３から落下することを防ぐ手摺２４とを備えて構成されている。
【００２５】
そして、一方側支持体２０は、矩形枠状に形成されており、上部に走行手段１Ａの台座１０が連結され、下部に走行手段１Ｂの連結片１６が連結され、内側に上記手摺２４が取り付けられている。他方、他方側支持体２１は、図２に示すように、一対の脚部２１ａ，２１ｂを備えて門型に形成されており、これら脚部２１ａ，２１ｂの間が、床板３から照明ブリッジＢに移動するための出入口となる。なお、図２中、一対の脚部２１ａ，２１ａの間に手摺２４が見えるが、この手摺２４は、一方側支持体２０に取り付けられているものである。また、一方側支持体２０と他方側支持体２１との間が、階段５から床板３に上がるための出入口となる。このため、横材２２は、当該出入口を通る作業者の邪魔にならないように配慮され、高い位置に設けられている。
【００２６】
床板３は、本実施の形態において、矩形板状に形成されており、ギャラリーＧの手摺ｇ１よりも高い位置に配置されている。そして、床板３の手摺ｇ１側端部に、架設板４が搖動可能に取り付けられており、進行方向の両側に階段５が取り付けられている。また、本実施の形態において、ギャラリーＧと照明ブリッジＢが離れているので、架設板４が搖動可能に連結されて開閉式とされるとともに、架設板４の両側に折り畳み可能な手摺４０が設けられている。そして、架設板４の自由端には、ワイヤ４１が取り付けられており、支持部材２に取り付けられる図示しないハンドルを回転すると、ワイヤ４１が巻き取られたり、繰り出されたりして、架設板４を開閉できる。なお、架設板４は、開閉式となっていなくてもよく、照明ブリッジＢに向けて延びたまま床板３に固定されるとしてもよい。
【００２７】
つづいて、階段５，５は、共に、一対の側板５０，５１と、これら側板５０，５１の間に段差をもって配置される複数の踏板５２とで構成されており、床板３を介して支持部材２に支えられ、下端がギャラリーＧの床ｇ２を擦らないようになっている。なお、本実施の形態において、階段５には、手摺が設けられていないが、手摺を設けるとしてもよい。また、床板３の進行方向の両側に階段５を設けているが、一方側にのみ階段５を設けるとしてもよい。
【００２８】
以下、本実施の形態に係る移動式渡り橋Ａの作動について説明する。
【００２９】
作業者が移動式渡り橋Ａを押すと、車輪１２が縦回転し、車輪１５が横回転して移動式渡り橋ＡがレールＲ１，Ｒ２に沿って移動する。このとき、移動式渡り橋Ａの荷重が、上側のレールＲ１を走行する走行手段１Ａには、図１中下向きにかかるので、このレールＲ１を走行する走行手段１Ａの車輪１２が同レールＲ１の中央片ｒ１０に押し付けられながら回転する。他方、移動式渡り橋Ａの荷重は、下側のレールＲ２を走行する走行手段１Ｂには、図１中左向きにかかるので、このレールＲ２を走行する走行手段１Ｂの車輪１５が同レールＲ２のフランジ片ｒ２１に押し付けられながら回転する。さらに、走行手段１Ａの車輪１２は、一対のフランジｒ１１，ｒ１２で脱輪を阻止され、走行手段１Ｂの車輪１５は、一対のフランジ片ｒ２１，ｒ２２で脱輪を阻止されているので、移動式渡り橋Ａは、構造的に転倒しないようになっている。
【００３０】
また、移動式渡り橋Ａは、ギャラリーＧを支える吊り材Ｐと、ギャラリーＧの手摺ｇ１との間を走行するので、架設板４を照明ブリッジＢに向けて延ばしたままギャラリーＧを移動させたとしても、架設板４と吊り材Ｐが干渉しない。したがって、吊り材Ｐが移動式渡り橋Ａの移動や設置の妨げにならない。
【００３１】
以下、本実施の形態に係る移動式渡り橋Ａの作用効果について説明する。
【００３２】
本実施の形態において、レールＲ１，Ｒ２は、吊り材Ｐに固定されるとともに上下に二本並べて設けられており、上側のレールＲ１を走行する走行手段１Ａが水平方向に沿う軸回りに回転する車輪１２を備え、下側のレールＲ２を走行する走行手段１Ｂが鉛直方向に沿う軸回りに回転する車輪１５を備えている。
【００３３】
本実施の形態においては、各走行手段１Ａ，１Ｂの図１中右側に支持部材２が連結されており、移動式渡り橋Ａの荷重が上側のレール１Ａを走行する走行手段１Ａに図１中下向きにかかり、下側のレール１Ｂを走行する走行手段１Ｂに図１中左向きにかかる。このため、上記構成によれば、車輪１２，１５の接地面に略垂直に荷重をかけることができるので、車輪１２，１５をレールＲ１，Ｒ２に設置させた状態で走行手段１Ａ，１Ｂを走行させることができる。なお、レールＲ１，Ｒ２や走行手段１Ａ，１Ｂの数や配置や構成は、上記の限りではなく、適宜変更することが可能である。
【００３４】
また、本実施の形態において、移動式渡り橋Ａは、ギャラリーＧを支える吊り材Ｐと手摺ｇ１との間に配置されるとともに、ギャラリーＧに沿って配置され水平方向に延びる一以上のレールＲ１，Ｒ２を走行する一以上の走行手段１Ａ，１Ｂと、これら走行手段１Ａ，１Ｂに取り付けられる支持部材２と、この支持部材２に支えられる床板３と、この床板３に連結されて照明ブリッジＢ側に延びる架設板４と、上記床板３に連結されてギャラリーＧから床板３に上がるための階段５とを備えている。
【００３５】
上記構成によれば、移動式渡り橋Ａは、レールＲ１，Ｒ２に吊り下げられているので、構造的に転倒の心配がなく、図５に示すように、ギャラリーＧの床ｇ２に金具８１を引っ掛けたり、挟持片２９ａ，２９ｂに手摺ｇ１を挟んだりするなどの、転倒防止のための固定作業をする必要がない。このため作業者の作業負荷を軽減することができる。また、作業者に頼らず、構造的に移動式渡り橋Ａの転倒を防止できるので、更に高い安全性を確保することができる。また、上記構成によれば、ギャラリーＧの床ｇ２に金具８１を引っ掛ける必要もないので、ギャラリーＧの床構造を限定することがない。
【００３６】
さらに、上記構成によれば、移動式渡り橋Ａは、ギャラリーＧを支える吊り材Ｐと手摺ｇ１との間を移動するので、架設板４と吊り材Ｐとの干渉を避けることができ、吊り材Ｐが移動式渡り橋Ａの移動や、設置の妨げになることがない。
【００３７】
以上、本発明の好ましい実施の形態を詳細に説明したが、特許請求の範囲から逸脱することなく改造、変形及び変更を行うことができることは理解すべきである。
【符号の説明】
【００３８】
Ａ  移動式渡り橋
Ｂ  照明ブリッジ
Ｇ  ギャラリー
ｇ１  手摺
Ｐ  吊り材
Ｒ１，Ｒ２  レール
１Ａ，１Ｂ  走行手段
２  支持部材
３  床板
４  架設板
５  階段
１２，１５  車輪
【図１】
2015073581.tif 000003
【図２】
2015073581.tif 000004
【図３】
2015073581.tif 000005
【図４】
2015073581.tif 000006
【図５】
2015073581.tif 000007